(57)【要約】  【課題】薬剤ケースを簡易に着脱でき、かつ的確な取付状態を得ることができるようにした、より使い勝手に優れた薬剤塗布用具を提供する。  【解決手段】支持杆１の基端側を把手１２とし先端側に薬剤収容ケース等の筐体３を取り付けるにあたり、その先端側に変形可能な湾曲部１１を形成するとともに、一端部２ｂを湾曲部１１の先端付近に取り付けた帯状をなす緊締具２の他端部２ｂを湾曲部１１よりも基端側において支持杆１の他の部位に着脱し得るように構成し、湾曲部１１に筐体３を添設してその上から緊締具２を係り合わせ、その緊締具２で湾曲部１１との間に筐体３を挟み込みつつ他端部２ｂを支持杆１の他の一部に取着することによって、塗布部３ａを支持杆１の長手方向と交叉する方向に向けて筐体３を固定し得るようにした。  【選択図】図１
0003129210.tif 000002
【実用新案登録請求の範囲】
【請求項１】
支持杆の基端側を把手とし先端側に薬剤収容ケース或いは薬剤転着用アタッチメント等の筐体を取り付けるようにしたものであって、その先端側に変形可能な湾曲部を形成するとともに、一端部を湾曲部の先端付近に取り付けた紐状あるいは帯状をなす緊締具の他端部を湾曲部よりも基端側において支持杆の他の部位に着脱し得るように構成しておき、湾曲部に筐体を添設してその上から緊締具を係り合わせ、その緊締具で湾曲部との間に筐体を挟み込みつつ他端部を支持杆の他の一部に取着することによって、塗布部を支持杆の長手方向と交叉する方向に向けて筐体を固定し得るようにしたことを特徴とする薬剤塗布用具。
【請求項２】
支持杆が孫の手状のものである請求項１記載の薬剤塗布用具。
【請求項３】
湾曲部が、一部に変形を誘発する変形誘発部を設けて撓り易くしたものである請求項１又は２何れかに記載の薬剤塗布用具。
【請求項４】
変形誘発部が支持杆に設けた溝等の薄肉部である請求項３記載の薬剤塗布用具。
【請求項５】
緊締具の他端部と支持杆の他の部位とが、面ファスナーを介して脱着可能とされている請求項１、２、３又は４何れかに記載の薬剤塗布具。
【考案の詳細な説明】
【技術分野】
【０００１】
本考案は、背中等の手の届き難い部位に一人で薬剤を塗布する上で有用となる薬剤塗布用具に関するものである。
【背景技術】
【０００２】
背中等の手の届き難い部位に薬剤を塗布する補助具として、従来より、特許文献１、２等に示すものが提案されている。
【０００３】
先行文献１のものは、孫の手状の部材の先端に洗濯ばさみ状の挟持具６を設けて、この挟持具６に薬剤ケースを挟むことができるように構成されており、先行文献２のものは、孫の手の把手側に保持枠２を設け、この保持枠２にキャップ１４付きの薬剤ケース１１を着脱可能に取り付けて、キャップ１４を外すことで塗り薬を背中の患部に塗ることができるように構成されている。
【特許文献１】特開２００２−１３６６０２号公報
【特許文献２】特開平９−２２５０３８号公報
【考案の開示】
【考案が解決しようとする課題】
【０００４】
ところが、特許文献１のものは、挟持具６を開くのに指先の力を要するため、指に力が入らない者には使い難い上に、薬剤ケースの太さによって挟持具６の角度が変わり、部分的に挟み込む線接触状態になるので、十分な取付強度が得にくく、外れ易いという難点がある。
【０００５】
また、特許文献２のものは、薬剤ケース１１を保持枠２に差し込んでねじで止めする構造のものであり、ねじ止めに指先の力を要する上に、太さが違うと薬剤ケース１１が保持枠２に入らなかったり、逆に薬剤ケース１１が小さすぎて中で遊んでしまいしっかりと固定できないので、上記と同様の問題がある。
【０００６】
本考案は、このような課題に着目してなされたものであって、薬剤ケースを簡易に着脱でき、かつ的確な取付状態を得ることができるようにした、より使い勝手に優れた薬剤塗布用具を提供しようとするものである。
【課題を解決するための手段】
【０００７】
本考案は、かかる目的を達成するために、次のような手段を講じたものである。
【０００８】
すなわち、本考案の薬剤塗布用具は、支持杆の基端側を把手とし先端側に薬剤収容ケース或いは薬剤転着用アタッチメント等の筐体を取り付けるようにしたものであって、その先端側に変形可能な湾曲部を形成するとともに、一端部を湾曲部の先端付近に取り付けた紐状あるいは帯状をなす緊締具の他端部を湾曲部よりも基端側において支持杆の他の部位に着脱し得るように構成しておき、湾曲部に筐体を添設してその上から緊締具を係り合わせ、その緊締具で湾曲部との間に筐体を挟み込みつつ他端部を支持杆の他の一部に取着することによって、塗布部を支持杆の長手方向と交叉する方向に向けて筐体を固定し得るようにしたことを特徴とする。
【０００９】
このように構成すると、緊締具を締付けた際に、湾曲部が先端を引張られて筐体の外周に沿うように変形し、その状態で緊締具の他端部を支持杆の他の部位に取着することで、緊締具と支持杆との間に筐体を挟み込んで固定するので、緊締具を筐体の外周に有効な範囲に亘って密着させることができ、太さが変わってもずれ難い的確な固定状態を得ることができる。このような効果は、筐体が円筒以外の形状である場合等にも同様である。そして、紐やベルト等の緊締具を筐体に係り合わせて支持杆に固定するだけであるので、掌全体で操作することができ、指に力が入り難い者にも扱い易いものとなる。
【００１０】
支持杆の好ましい形態としては、孫の手状をなしているものが挙げられる。
【００１１】
特に、湾曲部を筐体に一層沿い易くする必要があるときには、当該湾曲部に変形を誘発する変形誘発部を設けて撓り易くしておくことが望ましい。
【００１２】
変形誘発部としては、支持杆に溝等の薄肉部を設けておく態様のものが簡単かつ効果的である。
【００１３】
緊締具の他端部を、筐体の外形寸法の相違等を吸収しつつ支持杆の他の部位に簡単確実に着脱できるようにするためには、面ファスナーを介した脱着構造としておくことが好ましい。
【考案の効果】
【００１４】
本考案は、以上説明した構成であるから、指先に力が入らない高齢者等であっても、薬剤収容ケース等の筐体を簡易に着脱でき、しかもずれない的確な固定状態を得て、手の届かない患部に一人で薬剤の塗布等が行えるようにした、使い勝手に優れた薬剤塗布用具を提供することが可能となる。
【考案を実施するための最良の形態】
【００１５】
以下、本考案の一実施形態を、図面を参照して説明する。
【００１６】
図１に示す本実施形態の薬剤塗布具は、プラスチック等の樹脂や竹等のある程度弾性を有する素材よりなる孫の手状の部材を支持杆１として用い、この支持杆１の湾曲部１１に帯状の緊締具２を用いて薬剤収容ケースや薬剤転着用アタッチメント等の筐体３を取り付けるようにしたものである。
【００１７】
支持杆１は、基端側の板状部分を把手１２とし、先端側に湾曲部１１を有していて、その湾曲部１１の先端を枝分かれさせた孫の手状とし、或いは全体に通常の孫の手をそのまま用いたものである。
【００１８】
そして、その支持杆１の湾曲部１１に変形誘発部たる複数条の薄肉部１１ａを設けるとともに、その湾曲部１１の先端付近に帯状をなす緊締具２の一端部２ａを取り付けている。
【００１９】
薄肉部１１ａは、図１及び図２に示すように、湾曲部１１の内面側において支持杆１が延びる方向と直交する方向に、複数の溝を、支持杆１の湾曲部１１の基端側から先端側に向けて間欠的に形成したもので、その溝は断面Ｖ字状ないし波状をなし、外力を加えた際に図２→図３のように溝巾を狭めながら曲率半径が小さくなる方向に撓り易くなっている。
【００２０】
緊締具２は、繊維や樹脂等を素材とする帯状のもので、一端部２ａをその湾曲部１１の先端付近に接着等により固定し、他端部２ｂを自由端として、その他端部２ｂのうち支持杆１と対面する側の面に所要領域に亘って面ファスナー要素２１を取り付けている。そして、支持杆１の湾曲部１１よりも基端側における対応部位に、前記面ファスナー要素２１の脱着の相手となる面ファスナー要素２２を貼着して、これらの面ファスナー要素２１，２２により面ファスナー２ｘを構成して、この面ファスナー２ｘを介して、緊締具２の他端部２ｂを支持杆１に着脱可能に取着し得るようにしている。この緊締具２の中間部は、一端部２ａ及び他端部２ｂに比して幅広に設けてあり、筐体３に広い範囲で接触し得るようにしている。
【００２１】
次に、この薬剤塗布用具に筐体３を取り付ける際の様子を説明する。筐体３は、内部に薬剤を収容し端部を塗布部３ａとしてその塗布部３ａに薬剤を導出するようにした円筒状をなす市販の薬剤収容ケースの筐体である。
【００２２】
先ず、図１及び図２に想像線で示すように、支持杆１の湾曲部１１の内面側に筐体３を、その軸心ｍを支持杆１の長手方向と交叉する方向に向けて添わせ、その上から緊締具２を、筐体３を抱き込むように巻き付けて、その緊締具２を図３に矢印Ａで示すように引っ張りながら、当該他端部２ｂに設けた面ファスナー要素２１を支持杆１の対応部位に設けた面ファスナー要素２２に押し付けるようにして貼り付ける。これにより、面ファスナー要素２１，２２同士が接着して、湾曲部１１は筐体３の外周に沿って若干変形した状態が保たれ、筐体３は緊締具２と湾曲部１１との間に挟み込まれた状態で、図４に示すように塗布部３ａを支持杆１の長手方向と交叉する方向に向けて脱落し得ないように保持される。
【００２３】
この状態で支持杆１の把手１２を把持して肩越しに筐体３を背中の患部付近に位置づけ、当該筐体３の軸心ｍ方向の端部に設けた塗布部３ａを患部に押し付けることで、内部の薬剤が導出されて患部に塗布されることとなる。
【００２４】
なお、把手１２の基端には突起１３ａが多数設けられてブラシ部１３を構成しており、このブラシ部１３を背中の痒い部分を掻く目的等に利用できるようになっている。このブラシ部１３を支持杆１の幅寸法よりも幅広にしておく態様等も有効である。
【００２５】
以上のように、本実施形態の薬剤塗布用具は、支持杆１の基端側を把手１２とし先端側に筐体３を取り付けるにあたり、支持杆１の先端側に形成した湾曲部１１に筐体３を添設してその上から緊締具２を係り合わせ、その緊締具２を、湾曲部１１との間に筐体３を挟み込んだ状態で支持杆１に取着して、塗布部３ａを支持杆１の長手方向と交叉する方向に向けて筐体３を固定し得るようにしたものである。
【００２６】
そして、緊締具２を締付けた際に、湾曲部１１が先端を引張られて筐体３の外周に沿うように変形し、その状態で緊締具２の他端部２ｂを支持杆１の他の部位に取着することで緊締具２と支持杆１との間に筐体３を挟み込んで固定するので、緊締具２を筐体３の外周に有効な範囲に亘って密着することができ、筐体３の太さが変わってもずれ難い的確な固定状態を得ることができる。このような効果は、筐体３が円筒以外の形状である場合等にも同様である。そして、緊締具２を筐体３に係り合わせて支持杆１に固定するだけであるので、掌全体で操作することができ、指に力が入り難い者にも扱い易いものとなる。
【００２７】
特に支持杆１が孫の手状であって、当初より適度な湾曲形状を有しているため、一般的な規格の薬剤収容ケース等を構成する筐体３に対してさほど大きく湾曲部１１を変形させずに済み、指先が分かれていて適度な弾力がある点も変形に好都合である上に、既存の孫の手に若干の加工を施すだけで本考案を構成することもできるので、身近な物を利用して作り易いという利点も得られるものとなる。
【００２８】
特に、湾曲部１１に変形誘発部として溝形状の薄肉部１１ａを設けており、この部位を更に撓り易くしているので、湾曲部１１を筐体３に対して一層沿い易いものにすることができ、且つこのような薄肉部１１ａであれば樹脂成形、切削加工の何れによっても簡単に形成することができる。
【００２９】
さらに、緊締具２の他端部２ｂと支持杆１の対応部位との間に面ファスナー２ｘを設け、この面ファスナー２ｘを介して筐体３を所要の緊張状態の下に固定し得るようにしているので、筐体３の外形寸法の相違等を吸収しつつこれを緊締具２と支持杆１との間で簡単に着脱することが可能となる。
【００３０】
以上により、この薬剤塗布用具は、高齢者や疾患者等であって一人暮らしの者あるいは介護者の不在の時などに、背中等の手の届かない患部に薬剤を塗布する上で極めて使い勝手に優れた有用なものとなり得る。
【００３１】
なお、各部の具体的な構成は、上述した実施形態のみに限定されるものではなく、本考案の趣旨を逸脱しない範囲で種々変形が可能である。
【００３２】
例えば、上記実施形態では、内部に薬剤を収容した薬剤ケースの筐体を保持させたが、軟膏等のようにチューブや偏平なケース等に薬剤が入っていてそのまま取り付けられない場合等には、筐体の端部にゴム等の薬剤が浸み込みにくい塗布部を形成した薬剤転着用アタッチメントの筐体を保持させ、これに薬剤を転着して用いることが有効となる。この場合の筐体の外形は図示の筐体３とほぼ同様のものの他、塗布部をキノコ状に拡径させたもの等が効果的である。
【００３３】
また、変形誘発部は、溝等の薄肉部とする以外に、その部位により撓り易い弾性に富んだ素材を用いるようにしても構わない。
【００３４】
さらに、本考案の基本的効果を奏する上で、湾曲部は必ずしも孫の手状に分かれている必要はなく、単に湾曲しているだけでも上記に準じた作用効果が奏される。
【図面の簡単な説明】
【００３５】
【図１】本考案の一実施形態に係る薬剤塗布用具を示す斜視図。
【図２】同側面図。
【図３】同実施形態の薬剤塗布用具を使用状態において示す側面図。
【図４】同平面図。
【符号の説明】
【００３６】
１…支持杆
２…緊締具
２ａ…一端部
２ｂ…他端部
２ｘ…面ファスナー
３…筐体
１１…湾曲部
１１ａ…変形誘発部（薄肉部）
１２…把手
【図１】
0003129210.tif 000003
【図２】
0003129210.tif 000004
【図３】
0003129210.tif 000005
【図４】
0003129210.tif 000006